(57)【要約】【課題】    本願発明は、室内の間仕切りなどに用いられる折り畳み扉の蝶番を目立たないものとする。【解決手段】  本願発明に係る折り畳み扉は、左右２枚の扉構成板１００，２００と、両扉構成板を折り畳み可能に結合する少なくとも１つの蝶番１とを備える。上記蝶番１は、第１取付部１０と、第２取付部２０と、軸３とを備え、第１取付部１０は、当該軸３にて、第２取付部２０に対して折り畳み可能に軸止されたものである。左側の扉構成板１００，２００の右側面と右側の扉構成板の左側面には夫々受容部４，４が形成されている。第１及び第２の取付部１０，２０の夫々が、上記受容部４，４の夫々に受容されたものであり、第１取付部１０は、左側の扉構成板１００の右側面に、第２取付部２０は、右側の扉構成板２００の左側面に、夫々取り付けられたものである。【選択図】          図５
2004263541.tif 000002
【特許請求の範囲】
【請求項１】
夫々扉の表面を構成する正面と扉の裏面を構成する背面と上面と下面と左側面と右側面を備えた、少なくとも左右２枚の扉構成板と、両扉構成板を折り畳み可能に結合する少なくとも１つの蝶番とを備え、扉が伸ばされた状態にあって、両扉構成板の側面同士が、対面する折り畳み扉において、
蝶番は、第１取付部と、第２取付部と、軸とを備え、第１取付部は、当該軸にて、第２取付部に対して折り畳み可能に軸止されたものであり、
上記の左側の扉構成板の右側面と、右側の扉構成板の左側面には、夫々受容部が形成され、
第１及び第２の取付部の夫々が、上記受容部の夫々に受容されたものであり、当該受容状態にて、第１取付部は、左側の扉構成板の右側面に、第２取付部は、右側の扉構成板の左側面に、夫々取り付けられたものであることを特徴とする折り畳み扉。
【請求項２】
上記の各受容部は、受容する夫々の取付部の表面を被覆する、被覆部を備えたことを特徴とする請求項１記載の折り畳み扉。
【請求項３】
左右に配された少なくとも２枚の扉構成板と、両扉構成板を折り畳み可能に結合する蝶番とを備えた折り畳み扉において、
上記の蝶番は、左側の扉構成板に取り付けられる第１取付板と、右側の扉構成板に取り付けられる第２取付板と、第１取付板の端部に設けられ水平に配された第１横板と、第２取付板の端部に設けられ水平に配された第２横板と、第１横板を第２横板に軸止する軸と、固定機構とを備えるものであり、
上記両横板は、上下に重ねられ、第１横板の基部が、上記軸にて第２横板の基部に軸止され、第１横板の先端部は、軸を中心に回動することにより、第２横板の先端部から離すことが可能であり、
両取付板は、両横板の先端部を重ね合わせたとき、扉が伸ばされた状態となるよう横板の夫々に設けられており、
上記の固定機構は、両横板の少なくとも何れか一方に設けられ、第１横板の先端部を第２横板の先端部に重ねた状態に固定するものであることを特徴とする折り畳み扉。
【請求項４】
上記の固定機構は、一方の横板に設けられた凸部と、他方の横板に設けられ上記凸部を受容することが可能な凹部とにて構成され、凸部は、横板と別体に形成されると共に横板へ螺合することによって、突出高さを調整することが可能とされたものであり、上記の両横板の少なくとも何れか一方には、上記の凸部の突出高さを固定する固定部材が設けられたことを特徴とする請求項３記載の折り畳み扉。
【発明の詳細な説明】
【技術分野】
【０００１】
本願発明は、折り畳み扉に関する。
【背景技術】
【０００２】
従来クローゼットドアや部屋の間仕切りなどに用いられる折畳式の扉は、図２２（Ａ）に示す蝶番１を用いたものが一般的である。図２２において、Ｕは上方を、Ｓは下方を、Ｌは左方を、Ｒは右方を、Ｆは前方を、Ｂは後方を、夫々示している。
詳しくは、この扉は、夫々扉の表面を構成する正面ａと扉の裏面を構成する背面ｂと上面ｃと下面と左側面ｅと右側面ｆを備えた、少なくとも２枚の扉構成板１００，２００と、両扉構成板１００，２００を折り畳み可能に結合する少なくとも１つの蝶番１とを備え、扉が伸ばされた状態にあって、両扉構成板１００，２００の、側面ｅ，ｆが対面するものであった。
具体的には、蝶番１は、第１取付部１０と、第２取付部２０と、軸３とを備えた金属製のものが一般的である。その第１取付部２０は、当該軸３にて、第２取付部２０に対して折り畳み可能に軸止されたものである。当該第１取付部１０は、左側の扉構成板１００の背面ｂに、また、第２取付部２０は、右側の扉構成板２００の背面ｂに、夫々取り付けられたものである。
【０００３】
このように各扉構成板の裏面に蝶番の第１取付部１０と第２取付部２０とが設けられることにより、小部屋と同等なウォークイン・クローゼットや部屋の間仕切りに、上記の折り畳み扉が用いられる場合において、扉を閉じた状態（伸ばした状態）としたとき、背面側も人目に触れ、例えば木製や木目調の扉構成板に、金属製の無骨な蝶番１が目立ち、見栄えの悪いものとなっていた。
【０００４】
この点、図２２（Ｂ）に示す通り、扉を閉じた（伸ばした）際に蝶番を目立たせないよう、両扉構成板１００，２００の対面する左右側面ｅ，ｆの夫々に、第１取付部１０と第２取付部２０夫々が設けられたものが、下記の特許文献１に見られる。
【０００５】
【特許文献１】実開平６−００１６７１号公報（図３）
【０００６】
しかし、この場合も、扉を開いた（畳んだ）際には、両取付部１０，２０は露出し、依然目立つものとなっている。
【発明の開示】
【発明が解決しようとする課題】
【０００７】
そこで、本願の発明者は、扉を伸ばして空間を仕切った際のみならず、扉を折り畳んだ（開いた）際も、その蝶番を目立たないものとして、折り畳み扉の美観の向上を図った。
【課題を解決するための手段】
【０００８】
本願第１の発明に係る折り畳み扉は、夫々扉の表面を構成する正面と扉の裏面を構成する背面と上面と下面と左側面と右側面を備えた、少なくとも左右２枚の扉構成板１００，２００と、両扉構成板１００，２００を折り畳み可能に結合する少なくとも１つの蝶番１とを備え、扉が伸ばされた状態にあって、両扉構成板１００，２００の側面同士が対面するものであり、次の構成を採る。
即ち、上記蝶番１は、第１取付部１０と、第２取付部２０と、軸３とを備え、第１取付部１０は、当該軸３にて、第２取付部２０に対して折り畳み可能に軸止されたものである。上記の左側の扉構成板１００の右側面と右側の扉構成板の左側面２００には夫々受容部４，４が形成されている。そして、第１及び第２の取付部１０，２０の夫々が、上記受容部４，４の夫々に受容されたものであり、当該受容状態にて、第１取付部１０は、左側の扉構成板１００の右側面に、第２取付部２０は、右側の扉構成板２００の左側面に、夫々取り付けられたものである。
【０００９】
本願第２の発明に係る折り畳み扉では、上記本願第１の発明に係る折り畳み扉において、上記の各受容部４，４は、受容する夫々の取付部１０，２０の表面を被覆する、被覆部５，５を備えたことを特徴とする。
【００１０】
本願第３の発明に係る折り畳み扉は、左右に配された少なくとも２枚の扉構成板１００，２００と、両扉構成板１００，２００を折り畳み可能に結合する蝶番１とを備えたものであり、下記の構成を採る。
即ち、上記の蝶番１は、左側の扉構成板１００に取り付けられる第１取付板１１と、右側の扉構成板２００に取り付けられる第２取付板２１と、第１取付板１１の端部に設けられ水平に配された第１横板１２と、第２取付板２１の端部に設けられ水平に配された第２横板２２と、第１横板を第２横板に軸止する軸３と、固定機構７とを備える。上記両横板１２，２２は、上下に重ねられ、第１横板１２の基部が、上記軸３にて第２横板２２の基部に軸止され、第１横板１２の先端部は、軸３を中心に回動することにより、第２横板２２の先端部から離すことが可能である。両取付板１１，２１は、両横板１２，２２の先端部を重ね合わせたとき、扉が伸ばされた状態となるよう横板の夫々に設けられている。上記の固定機構７は、両横板１２，２２の少なくとも何れか一方に設けられ、第１横板１２の先端部を第２横板２２の先端部に重ねた状態に固定するものである。
【００１１】
本願第４の発明に係る折り畳み扉では、上記本願第３の発明に係る折り畳み扉において、上記の固定機構７は、一方の横板に設けられた凸部と、他方の横板に設けられ上記凸部を受容することが可能な凹部とにて構成されている。凸部は、横板と別体に形成されると共に横板へ螺合することによって、突出高さを調整することが可能とされたものである。上記の両横板の少なくとも何れか一方には、上記の凸部の突出高さを固定する固定部材が設けられている。
【００１２】
上記本願第１及び第２の発明にあっては、蝶番の第１及び第２の取付部１０，２０を、左側の扉構成板１００の右側面と、右側の扉構成板２００の左側面に取り付けることにより、蝶番を閉じたとき、扉は閉じ（扉が伸ばされた状態となり）、蝶番を開いたとき扉は開く（扉が畳まれた状態）となる。このため、折り畳み扉を閉じたとき、蝶番は畳まれた状態となり、折り畳み扉を蝶番が設けられた裏面側から眺めても、蝶番は目立たない。また、上記左側の扉構成板１００の右側面と右側の扉構成板２００の左側面とが備える受容部４，４内に、取付部１０，２０の夫々を収容することによって、上記の取付けが行われているので、扉を開いた（畳んだ際）も、各取付部１０，２０は受容部４，４内にあり目立たない。
特に、本願第２の発明にあっては、被覆部５，５により、取付部１０，２０の表面を覆うものであるため、より一層取付部１０，２０の存在を目立たないものとした。
【００１３】
また、本願第３及び４の発明にあっては、蝶番の第１及び第２の取付板１１，２１を、左右の扉構成板１００，２００に取り付けることにより、蝶番を閉じたとき、扉は閉じ（扉が伸ばされた状態となり）、蝶番を開いたとき扉は開く（扉が畳まれた状態となる）ものについて、固定機構７にて、確実に扉を閉じた状態を維持することができる。水平に配され上下に重ねることが可能な２枚の横板１２，２２は、蝶番に固定機構７を設置するスペースを提供するものである。特に、本願第４の発明にあっては、このような固定機構７を目立たせないものとして、扉の美観を損なわず、また、固定機構７の凸部の突出高さ（突出幅）を調整することにより、扉の上記固定（閉鎖）の強さを調整することができる。また、一旦行ったこのような調整を固定部材にて確実に維持することができる。
【発明の効果】
【００１４】
本願第１乃至第４の発明の何れかの発明の実施によって、クローゼットドアや室内の間仕切りに適した折り畳扉について、無骨な蝶番を目立たせないものとした。特に、本願第３の発明の実施によって、扉の閉鎖状態を確実に維持し、また、本願第４の発明の実施によって、美観を損なわず扉の閉鎖状態を確実維持するより好ましい手段を提供すると共に閉鎖の強さを調整し且つ当該調整を確実に維持することが可能な手段を提供し得た。
【発明を実施するための最良の形態】
【００１５】
以下、図面に基づき本願発明の実施の形態について説明する。
図１乃至図１２へ、本願発明に係る折り畳み扉の一実施の形態を示す。この実施の形態は、室内の間仕切りとして本願発明に係る折り畳み扉を用いた場合を示すものであり、特に扉の表裏の区別はないのであるが、説明の便宜上、折り畳みに際して、谷折りとなる面を、扉の正面としている（即ち、山折りとなる面を、扉の背面としている。従って、クローゼットドアなどに実施する場合は、これとは逆に、山折となる面を、扉の正面とすればよい）。
図１は、この折り畳み扉の（扉の右側を手前とし）主として正面側を示す一部切欠斜視図であり、室内の間仕切りとして使用され扉が閉じられた（伸ばされた）状態を示している。図２は、図１に示す折り畳み扉の（扉の左側を手前とし）主として背面側を示す一部切欠斜視図であり、扉が閉じられた状態を示している。図３は、この扉の主として正面側を示す要部斜視図であり、扉を開く途中の状態を示している。図４は、図２の要部を（扉の右側を手前とし）拡大した一部切欠斜視図である。図５は、図３の状態の扉の要部を拡大した一部切欠背面図である。図６は扉を開いた（畳んだ）状態を示す一部切欠要部拡大斜視図である。図７は、扉を閉じた状態の要部横断面図である。
図８（Ａ）は上記の折り畳み扉に用いられる蝶番の両縦板１１，２１が対面した状態（扉を伸ばした即ち扉を閉ざしたときの蝶番）を示す正面図であり、図８（Ｂ）は（Ａ）の蝶番の背面図を、図８（Ｃ）は（Ａ）の蝶番の左側面図を、図８（Ｄ）は（Ａ）の蝶番の右側面図を、夫々示している。図９（Ａ）は図８に示す蝶番の平面図を示し、図９（Ｂ）は図８に示す蝶番の底面図を示している。図１０（Ａ）は図８に示す蝶番の両縦板１１，２１を開いた状態の正面図であり、図１０（Ｂ）は（Ａ）の背面図である。図１１（Ａ）は図１０に示す状態の上記蝶番の平面図であり、図１１（Ｂ）はその底面図であり、図１１（Ｃ）はその左側面図であり、図１１（Ｄ）はその右側面図である。図１２は、図８（Ａ）のＸ−Ｘ断面図である。
各図において、説明の便宜上、Ｕは上方を、Ｓは下方を、Ｌは左方を、Ｒは右方を、Ｆは前方を、Ｂは後方を、夫々示している。
【００１６】
図１及び図２に示す通り、この折り畳み扉は、室内の天井Ｗ１に設けられたレール３００と、その下方において床Ｗ２に設けられたレール４００との間に、配設されるものである。図１及び図２において、Ｗ３は、壁を示している。
扉の各部の構成について詳述する。
図１及び図２に示す通り、この扉は、夫々扉の表面を構成する正面ａと扉の裏面を構成する背面ｂと上面ｃと下面ｄと左側面ｅと右側面ｆを備えた、左右２枚の扉構成板１００，２００と、両扉構成板１００，２００を折り畳み可能に結合する２つの蝶番１，１とを備える。以下、必要に応じて、上記の左側の扉構成板１００を左構成板１００と呼び、右側の扉構成板２００を右構成板２００と呼ぶ。
また、ここでは、折り畳み扉は、折り畳みにより（図３）、その全体が右側Ｒに寄せられるものとして説明する（但し左側Ｌに寄せて実施するのを制限するものではない）。
【００１７】
扉が伸ばされた状態にあって、左構成板１００の右側面ｆと，右構成板２００の左側面ｅとが対面する。
上記の蝶番１は、第１取付部１０と、第２取付部２０と、軸３とを備える（図５及び図６）。第１取付部１０は、当該軸３にて、第２取付部２０に対して折り畳み可能に軸止されたものであり、第１取付部１０は、左側の扉構成板１００の右側面に、第２取付部２０は、右側の扉構成板２００の左側面に、夫々取り付けられる。左構成板１００は、上記のレール３００，４００内に受容されて扉の開閉の際に、レール内をスライドするガイド１０１，１０２を備える。右構成板２００は、上記レール３００，４００内に配置された回動軸２０１、２０２を備える。
【００１８】
図７へ示す通り、左構成板１００の正面ａの右端と、右構成板２００の正面ａの左端には、夫々扉の開閉のために、指を掛けることが可能な指掛部１１１、２１１が形成されている（他の図面において、指掛部１１１，２１１は省略してある）。
図５〜図７へ示す通り、左構成板１００の右側面ｆと、右構成板２００の左側面ｅには、受容部４，４が形成されている。左構成板１００の右側面ｆの受容部４，４は、左側へ凹んだ凹部であり、右構成板２００の左側面ｅの受容部４は、右側に凹んだ凹部である。
この実施の形態では、図５及び図６へ示す通り、各受容部４，４は、両構成板１００，２００の両側面ｅ，ｆにおいて、上端から下端にかけて形成されている。但し、受容部４，４は、取付部１０，２０が取り付けられる部分にのみ形成されたものであっても実施可能である。
【００１９】
この受容部４，４の夫々には、受容部４，４の開口部を被覆する被覆部５，５が形成されている（図６）。この実施の形態では、被覆部５は、図７の状態において、前後方向Ｆ，Ｂについて、前部５ａと、後部５ｂとに分かれている。この前部５ａと後部５ｂの間には、隙間が形成されている。但し、このように、前部５ａと、後部５ｂとに分けず、即ち隙間を形成せずに実施してもよい。
両構成板１００，２００の両側面ｅ，ｆにおいて、被覆部４，４の上方と下方には、被覆部４，４が設けられていない、非被覆部６，６が形成されている（図５）。
【００２０】
次に、上記の蝶番１について、更に詳しく説明する。
前記の通り、この蝶番１の夫々は、板状の第１取付部１０と、板状の第２取付部２０と、軸３とを備える。扉の上部に設けられる蝶番１も、下部に設けられる蝶番１も同じ構成のもの（同一のもの）である。
但し、上方の蝶番とその下方の蝶番とでは、取付けが上下逆さまになるので、各部の左右は、逆になる。ここでは、扉の上部に取り付けられる蝶番を基準として、蝶番の各部の名称を決定している。即ち、図８〜図１１において、扉の上部に取り付けられる蝶番を示している。
【００２１】
図８〜図１１に示す通り、第１取付部１０は、第１取付板１１（この実施の形態において以下第１縦板１１と呼ぶ。）と、第１縦板１１の上部に設けられた第１横板１２とを備える。図８、図９及び図１２は、扉を閉ざした（伸ばした）状態のときに蝶番がとる形態を示し、図１０及び図１１は、扉を開けた（畳んだ）状態のときに蝶番がとる形態を示している。
第１縦板１１の裏面１１ｂは、左側の扉構成板１００の右側面ｆに対応するものである。蝶番１を開いた状態（図１０、図１１）において、第１横板１２の基部１２ａは、第２取付部２０側に向けて、水平に伸びる。
第２取付部２０は、第２取付板２１（この実施の形態において以下第２縦板２１と呼ぶ。）と、第２縦板２１の上部に設けられた第２横板２２とを備える。
第２縦板２１の裏面２１ｂは、右側の扉構成板２００の左側面ｅに対応するものである。扉を畳んだ（開いた）状態（図１０、図１１）において、第２横板２２の基部２２ａは、第１取付部１０側に向けて、水平に伸びる。
【００２２】
各取付部１０，２０の、第１と第２の横板１２，２２同士については、一方が他方の上に配置され、両横板１２，２２は、上記軸３にて上下に貫かれている。当該軸３を中心とし第２取付部２０に対して第１取付部１０を回動することにより、第１及び第２の横板１２，２２双方の先端部１２ｂ，２２ｂが重なり第１及び第２の両縦板１１，２１の表面同士が対面し、左右の扉構成板１００，２００を伸ばした状態とすることができる。
図８〜図１１に示す状態において、第１横板１２が第２横板２２の上方に位置する（但し、図８〜図１１に示す状態において、第２横板２２を第１横板１２の上方に位置するよう構成するのを制限するものではない）。
【００２３】
上記の構成板１００，２００において、各受容部４，４の深さは、各縦板１０，２０の厚み（表面１１ａ，２１ａと裏面１１ｂ，２１ｂの間の幅）よりも大きく、また、図７に示す通り、各受容部４，４内の前後の幅ｔ１，ｔ２は、夫々、縦板１０，２０の前後の幅ｍ１，ｍ２よりも大きいか、これと等しい。
これにて、図４〜図７へ示す通り、蝶番１の、第１取付部１０が備える第１縦板１０は、左構成板１００の受容部４内に収容され、ネジやボルトなどの固定具で、左構成板１００の右側面ｆに固定される。同様に、第２取付部２０が備える第２縦板２０は、右構成板２００の受容部４内に収容され、ネジやボルトなどの固定具で、右構成板２００の左側面ｅに固定される。
この際に、上記の非被覆部６，６から、第１及び第２の横板１２，２２を外部ヘ露出させることができ、被覆部４，４が邪魔にならない。
図５及び図６に示すように、上記の非被覆部６，６を、両構成板の左右側面ｅ，ｆの最上部及び最下部に形成しておく。これにて、蝶番を両扉構成板１００，２００の側面の、最上部及び最下部に固定することができる。即ち、このような構成により、第１及び第２の両横板１２，２２を、両扉構成板１００，２００の上面と同じ位置かそれより上方、或いは両扉構成板１００，２００の下面と同じ位置かそれより下方に、配置することができ、これにて蝶番を更に目立たなくすることができ、扉の美観をより一層向上し得た。
【００２４】
図１２へ示す通り、この蝶番１には、扉をのばした状態（閉ざした状態）に固定する固定機構７が設けられている。
詳しくは、第１及び第２の横板１２，２２の両先端部の重なる面について、一方の面には凹み部７０が設けられ、他方の面には出没可能な突起７１と当該突起を露出する方向に押圧するバネ等の弾性体７２とが備えられている。第１及び第２の横板１２，２２双方の先端部１２ｂ，２２ｂを重ねた際、上記弾性体の付勢で凹み部に突起が押し込まれることにより、第１及び第２の両縦板１１，２１の表面同士が対面した状態に固定されるものである。
【００２５】
上記の通り、この固定機構７は、上記の凹み部７０（請求項４の凹部に対応する。）と、突起７１と、弾性体７２とを有する。この実施の形態では、突起７１は、球である。また、固定機構７は、第２横板２２に上下に伸びる雌ねじ７４が形成され、当該雌ねじ７４に螺合する雄ねじを外周に備えた別途の調整部材７３を有する。そして、当該調整部材７３に上記突起７１と弾性体７２とが収容されている。調整部材７３を回すことによって、雌ねじ７４に対して、調整部材７３は上下に位置を変えることができ、上記突起７１の凹み部７０内への押し込みの強さを調整することができる（請求項４の凸部は、この実施の形態において、上記の突起７１と、弾性体７２と、調整部材７３にて構成されている）。また、この雌ねじ７４には、外部に通じる副雌ねじ７５が連絡している。この副雌ねじ７５内には、当該副雌ねじ７５に螺合する雄ねじを外周に備えた固定部材７６が装着されている。この固定部材７６は、外部からレンチやドライバなどの固定手段（締め付け工具）を用いて回することによって、副雌ねじ７５内を、雌ねじ７４側に向けて移動させることができる。このような移動にて、雌ねじ７４内の調整部材７３に固定部材７６を押しつけることで、上記の調整部材７３の位置を固定することができ、長期の使用によっても、突起７１の押し込みが緩むのを抑制することができる。
【００２６】
また、第１及び第２の横板１２，２２に設けることで、扉構成板１００，２００の側面に配置される第１及び第２の縦板１１，１２から、このような固定機構７を排除可能とした。これにて、蝶番が開いたとき扉を閉じた（伸ばされた）状態とするために、第１取付部１０（の縦板１１）を左側の扉構成板１００の右側面に、第２取付部２０（の縦板２１）を右側の扉構成板２００の左側面に取り付けても、取付部１０，２０（の縦板）同士の対面が、当該固定機構７によって邪魔されない。
【００２７】
ここで、上記図１乃至図１２へ示す実施の形態に採用した蝶番について、更に詳しく述べる。
上述の通り、第１及び第２の取付部１０，２０の夫々は、扉構成板１００，２００の側面に取り付けられる（第１及び第２の）縦板１１，２１と、縦板１１，２１の上端と下端の何れか一方にのみ設けられた（第１及び第２の）横板１２，２２とにて構成される。
個々の縦板１１，２１の裏面が、扉構成板１００，２００の側面に取り付けられる。
個々の横板１２（２２）は、扉を伸ばした（扉を閉じた）状態において、縦板１１（２１）の表面から他方の取付部の縦板２１（１１）に向けて水平に伸びる先端部１２ｂ（２２ｂ）と、先端部１２ｂ（２２ｂ）よりも扉の前方側或いは後方側に位置し且つ水平に配置された基部１２ａ（２２ａ）とを備える。図１〜図１２に示す実施の形態において、扉を伸ばした状態としたとき、基部１２ａ，２２ａは、先端部１２ｂ、２２ｂよりも扉の前方側に位置する。
（第１）横板１２の基部１２ａは、（第２）横板２２の基部２２ａに対しその上方或いは下方に重ねられ、上記軸３にて軸止される。扉を折り畳んだとき（扉を開いたとき）、一方の横板の先端部は、軸３を中心に回転することにより、他方の横板の先端部から離れる。
【００２８】
具体的には、上記の先端部１２ｂ，２２ｂの夫々は、平面視略矩形の板状体であり、基部１２ａ，２２ａの夫々は、平面視略円弧状の板状体である。扉を伸ばした状態（扉を閉じた状態）、即ち、横板１２，２２（の先端部１２ｂ，２２ｂ）を重ねた（閉じた）状態を基準として、横板１２，２２の先端部１２ｂ，２２ｂの夫々は、図８（Ｂ）へ示す通り、背面１３，２３と、左側面１４，２４と、右側面１５，２５と、上面１６，２６と、下面１７，２７とを備える（説明の便宜上、扉を伸ばした状態を基準として、横板１２，２２各部の名称を決定しているが、以下において、横板１２，２２の開閉の状態の変化によっても、これらの名称を用いるものとする）。
図１〜１２に示す実施の形態において、第１横板１２が第２横板２２の上に位置し、上記の固定機構７の凹み部２２は、第１横板１２の下面１７に形成され、雌ねじ７４は、第２横板２２に設けられている。雌ねじ７４は、第２横板２２の下面２７から上面２６にかけて形成されている。この雌ねじ７４に、前述の調整部材７３が収容されているのである。
また、第２横板２２の背面２３に、雌ねじ７４に連絡する副雌ねじ７５の開口部が形成されている。
【００２９】
以下、蝶番１の他の実施の形態について説明する。
上記の実施の形態において、副雌ねじ７５の開口部を、第２横板２２の背面２３に形成した。即ち、扉を閉じた（扉を伸ばした）状態において、上記の実施の形態では、副雌ねじ７５は、図８に示す通り前後方向に伸び、その一端が第２横板２２の背面２３にて開口するものとした（扉を開いた状態即ち扉を畳んだ状態では、図１１に示す通り、副雌ねじ７５は左右方向に伸びる）。この他、図１３及び図１４に示す通り、副雌ねじ７５の開口部を、第２横板２２の上記左側面２４に形成するものとしても実施可能である。即ち、扉を伸ばした状態において、副雌ねじ７５が伸びる方向を、左右方向とし、当該副雌ねじ７５の一端が第２横板２２の上記左側面２４に開口するものとするのである（扉を開いた状態即ち扉を畳んだ状態では、副雌ねじ７５は前後方向に伸びる）。図１３（Ａ）及び図１４において、副雌ねじ７５とその固定部材７６とは、破線で、透視した状態に描いてある。また、図１３（Ｂ）及び図１４において、雌ねじ７４及び調整部材７３の一部も、破線で、透視した状態に描いてある。
尚、図１３（Ａ）は扉を開いた（扉を畳んだ）状態のときの蝶番１の平面図であり、図１３（Ｂ）はその背面図であり、図１４はその右側面図である。
図５に示す通り、第２横板２２の背面２３に、副雌ねじ７５の開口部を形成した場合、非被覆部６を十分に広く確保しておかないと、副雌ねじ５７内の固定部材７６を螺回する際、扉構成板の当該非被覆部６を画する縁６ａ付近が邪魔になって、螺回に用いるレンチなどの締め付け工具を差し込むのが困難になる。上記の通り、副雌ねじ７５の開口部を、第２横板２２の上記左側面２４に形成することによって、締め付け工具を差し込みの障害となるものがなくなるので、このような問題は回避できる。従って、非被覆部６を極力小さく形成して、蝶番１を目立たせないようにするのに効果的である。
【００３０】
この図１３及び図１４に示す実施の形態では、第２横板２２（の上記左側面２４）には、当たり部８が設けられている。この当たり部８について説明する。
図９（Ｂ）へ示す通り、第１横板１２を第２横板２２に対して円滑に開閉可能とするために、扉を伸ばした状態即ち、両横板１２，２２を畳んだ状態において、第１縦板１１と第２横板１２との間には、隙間ｚが設けられている。このため、扉を閉じて（扉を伸ばして）、隙間ｚがなくなると、左右の扉構成板１００，２００は、平面視において、一直線（角度１８０度）とならず、幾分扉の正面側に山なり（「く」の字）になる。そこで、上記隙間ｚと同じ幅、第２横板２２の上記左側面２４から突出する突起、即ち、上記の当たり部８を形成しておくのである。このような当たり部８の形成にて、扉を閉じた際、左右の扉構成板１００，２００を一直線に伸ばすことができる。
この図１３及び図１４に示す実施の形態において、当たり部８を、第２横板２２の上記左側面２４に設けるものとしたが、これとは逆に、当たり部８を、第１縦板１１（の右側面）に設けるものとしても実施可能である。この場合、当たり部８は、第２横板２２の上記左側面２４と当接して、扉を閉じた際、左右の扉構成板１００，２００を一直線とすることができる。
尚、図１３及び図１４へ示す実施の形態において、当たり部８、副雌ねじ７５の向き及びその開口部の位置以外の構成については、図１〜図１２に示す実施の形態と同様である。
【００３１】
尚、上記当たり部８の突出幅は、図１３及び図１４に示す実施の形態において、上記の当たり部８の突出幅は、第１縦板１１と第２横板１２との間の隙間ｚと同じとしたが、磨耗による寸法の変化などに対応できるように、当たり部８の突出幅を調整可能にしておくと便利である。
図１５及び図１６を用いて、このような当たり部８の突出幅を調整可能とする実施の形態について説明する。
図１５（Ａ）は扉を開いた（扉を畳んだ）とき即ち両横板１２，２２を開いたときの蝶番１の平面図であり、図１５（Ｂ）はその背面図であり、図１６はその右側面図である。
図１５及び図１６へ示す通り、第２横板２２へ、その右側面２５から左側面２４にかけて貫通する、雌ねじ孔８０を設ける。即ち、当該雌ねじ孔８０の端部は、第２横板２２の右側面２５及び左側面２４に開口部を備える。この雌ねじ孔８０には、第２横板２２と別体に形成された当たり部材８１が装着される。即ち、当たり部材８１は、外周面に雄ねじが形成されており、雌ねじ孔８０に螺合する。この当たり部材８１の先端を、当たり部８として、第２横板２２の上記左側面２４から突出させるのである。当たり部材８１の後端面には、ドライバーやレンチなどの締め付け工具を差し込むことが可能な工具係合部が形成されている（図示しない）。第２横板２２の右側面２５の開口部から、締め付け工具を挿入して、当たり部材８を螺回し、当たり部８の突出高さを調整することができる。例えば、工具係合部として一本の溝を当たり部材８の後端面に設けて、第２横板２２の右側面２５の開口部から、マイナスドライバを挿入して、当たり部材８を螺回し、当たり部８の突出高さを調整することができる。
【００３２】
また、この図１５及び図１６に示す通り、調整後の当たり部材８１の位置が、ずれないように、ロック機構を設けて実施することが可能である。このロック機構は、第２横板２２に設けられた雌ねじ穴８２と、当該雌ねじ穴８２に螺合するロック部材８３とを備える。雌ねじ穴８２は、その一端が第２横板２２内部にて上記の雌ねじ孔８０に連絡し、その他端が第２横板２２の背面２３にて外部に開口する。ロック部材８３は、外周面に雄ねじが形成されており、後端に、レンチなどの締め付け工具を差し込むことが可能な、締め付け工具の係合用部を備える。第２横板２２の背面２３の開口部から、レンチやドライバなどの締め付け工具を上記係合用部に対応させて、ロック部材８３を螺回し、ロック部材８３の先端を雌ねじ孔８０内の当たり部材８０を押し付けることによって、当該当たり部材８０の位置を固定することができる。
【００３３】
上記の各実施の形態では、第１取付板１１は、第１縦板として、左側の扉構成板１００の右側面ｆに対応し、第２取付板２１は、第２縦板として、右側の扉構成板２００の左側面ｅに対応するものとした。
この他、第１取付板１１は、第１横板１２から、水平に伸びて、左側の扉構成板１００の上面ｃ或いは下面ｄに取り付けられるものとしても、実施可能である。
以下、このような実施の形態について、図１７〜図２１を用いて説明する。
図１７（Ａ）は、扉を閉じた状態（扉を伸ばした状態）、即ち、両横板１２，２２を閉じた状態の蝶番１の平面図であり、図１７（Ｂ）は、図１７（Ａ）のＹ−Ｙ断面図である。図１８は、図１７に示す蝶番１の背面図である。図１９（Ａ）は、図１７に示す蝶番の右側面図である。図１９（Ｂ）は、扉を開いた状態（扉を畳んだ状態）、即ち、両横板１２，２２を開いた状態の、当該蝶番１の背面図である。図２０は、図１７へ示す蝶番１を取り付けた折り畳み扉の閉ざした状態（扉を伸ばした状態）を示す背面図である。図２１は、図２０の一部切欠平面図である。ここでは、折り畳み扉が、クローゼットドアの場合を例に採って説明する。
【００３４】
図１７、図１８、図２０及び図２１へ示す通り、この蝶番１では、扉が伸ばされたとき、両横板１２，２２が閉じた（重なった）状態となる点については、上述の各実施の形態と同様であるが、第１取付板１１及び第２取付板２１が、両扉構成板１００，２００の上面ｃ，ｃ又は下面ｄ，ｄに、取り付けられる点が、既述の実施の形態と相違する。また、この実施の形態では、図２１へ示す通り、既述の各実施の形態と異なり、扉を畳む際に山折となる面を、扉の正面とする（従って図１７及び図１８において、蝶番１の左右の方向については、他の実施の形態と同様としているが、図２０及び図２１に示す通り、扉に取り付けられた状態において、蝶番１の左右は逆に表されている）。
図示の通り、第１取付板１１及び第２取付板２１は、第１横板１２及び第２横板２２の夫々から、水平に伸びている。具体的には、図１７、図１８、図２０及び図２１へ示す通り、扉を閉じた状態（扉を伸ばした状態）、即ち、蝶番１の両横板１２，２２が閉じた状態において、両取付板１１，２１は、横板１２，２２の左右側面の左右に位置するよう、水平に設けられている。
【００３５】
この実施の形態で示す扉、即ちクローゼットドアについて、詳述すると、扉構成板１００，２００の夫々は、主として扉の正面側を構成する化粧板１１０，２１０と、化粧板１１０，２１０の裏面において水平に配置されて扉構成板１００，２００に上面ｃ，ｃと下面ｄ，ｄとを提供する補強用の横桟１２０，１２０，２２０，２２０と、化粧板１１０，２１０の裏面において鉛直に配置されて左右の側面ｅ，ｅ，ｆ，ｆを提供する補強用の縦桟１３０，１３０，２３０，２３０と、上記蝶番１，１と、上記の化粧板１１０，２１０の反対側（背面側）に配され、扉構成板１００，２００の背面側を構成する背面板１４０，２４０とを備える（図２０において、背面板１４０，２４０は省略して描いてある）。
上記において、少なくとも横桟１２０，１２０，２２０，２２０、縦桟１３０，１３０，２３０，２３０は、夫々スチールなどの金属できた中空の角材であり、横桟１２０，１２０，２２０，２２０の上記蝶番１，１の取付板１１，２１が取り付けられる部位について、その内部には、留具受け部ｋ…ｋが配設されている（図２０）。この留具受け部ｋ…ｋは、当該取付板１１，２１を固定するために用いるネジやボルトなどの留具ｔ…ｔ（図２１）をねじ込むことが可能な部材である。留具受け部ｋ…ｋには、木製の角材を用いる。留具受け部ｋ…ｋは、接着剤にて横桟１２０，１２０，２２０，２２０の内部に固定される。
上述の通り、扉構成板１００，２００の上記上面ｃ，ｃと下面ｄ，ｄに、蝶番１，１の取付板１１，２１は、留具ｔ…ｔにて固定される（図２０及び図２１）。
【００３６】
このように、両扉構成板１００，２００の上面ｃ，ｃ又は下面ｄ，ｄに、第１取付板１１及び第２取付板２１を、取り付けることによって、蝶番１の取付板１１，２１を目につき難いものとすることができる。即ち、既述の受容部４，や被覆部５を形成しなくても、蝶番１を目立たないものとすることができる。
図示はしないが、この図１７〜図２１に示す実施の形態においても、図１３及び図１４に示す実施の形態と同様の、当たり部８を形成して実施することが可能であり、また、図１５及び図１６に示す実施の形態と同様の、当たり部材８１と雌ねじ孔８０や、ロック部材８３と雌ねじ穴８２を設けて実施することが可能である。
図１７〜図２１に示す実施の形態についても、特に、言及した構成以外の構成については、図１〜図１２へ示す実施の形態と同様である。
【００３７】
図１〜１２、図１３及び図１４、図１５及び図１６、更に、図１７〜図２１の各実施の形態において、固定機構７の凹部を第１横板１２の下面に設け、凸部を、第２横板２２の上面に設けるものとした。この他、このような各実施の形態とは逆に、固定機構７の凹部（凹み部）を、第２横板２２の上面に設け、凸部や雌ねじ７４を第１横板１２に設けて実施することも可能である。この場合、副雌ねじ７５も第１横板１２に設けて実施すればよい。
【００３８】
また、上記の実施の形態において、折り畳み扉は、左右２枚の扉構成板を備えるものとしたが、３枚以上の扉構成板を備え、隣り合う扉構成板同士を上記の蝶番にて蛇腹状に結合して、実施することも可能である。
【００３９】
この折り畳み扉は、蝶番が目立たないことから、特に見栄えが重視されるクローゼットドアや、室内の間仕切り用の扉として利用するのに適する。
【図面の簡単な説明】
【００４０】
【図１】扉が閉じられた（伸ばされた）状態の、本願発明に係る折り畳み扉の（扉の右側を手前とし）主として正面側を示す一部切欠斜視図である。
【図２】図１に示す折り畳み扉の（扉の左側を手前とし）主として背面側を示す一部切欠斜視図である。
【図３】図１に示す折り畳み扉の、扉を開く途中の状態の、主として正面側を示す要部斜視図である。
【図４】図２に示す折り畳み扉の要部を（扉の右側を手前とし）拡大した一部切欠斜視図である。
【図５】図３に示す状態の扉の要部を拡大した一部切欠背面図である。
【図６】上記扉の開いた（畳んだ）状態を示す一部切欠要部拡大斜視図である。
【図７】上記扉の閉じた状態を示す要部横断面図である。
【図８】（Ａ）は上記の折り畳み扉に用いられる蝶番の両縦板１１，２１が対面した状態を示す正面図を示し、（Ｂ）は（Ａ）の蝶番の背面図を、（Ｃ）は（Ａ）の蝶番の左側面図を、図８（Ｄ）は（Ａ）の蝶番の右側面図を、夫々示している。
【図９】（Ａ）は図８に示す蝶番の平面図を示し、（Ｂ）は図８に示す蝶番の底面図を示している。
【図１０】（Ａ）は図８に示す蝶番の両縦板１１，２１を開いた状態の正面図であり、（Ｂ）は（Ａ）の背面図である。
【図１１】（Ａ）は図１０に示す蝶番の平面図であり、（Ｂ）はその底面図であり、（Ｃ）はその左側面図であり、（Ｄ）はその右側面図である。
【図１２】図８（Ｂ）のＸ−Ｘ断面図である。
【図１３】（Ａ）は蝶番１の他の実施の形態を示す（扉を開いたときの蝶番１即ち両横板１２，２２を開いた蝶番の）平面図であり、（Ｂ）はその背面図である。
【図１４】図１３に示す蝶番１の右側面図である。
【図１５】（Ａ）は蝶番１の更に他の実施の形態を示す（扉を扉を開いたときの蝶番１即ち両横板１２，２２を開いた蝶番１の）平面図であり、（Ｂ）はその背面図である。
【図１６】図１５に示す蝶番１の右側面図である。
【図１７】（Ａ）は蝶番１のまた他の実施の形態を示す（扉を扉を閉じたときの蝶番１即ち両横板１２，２２を閉じた蝶番１の）平面図であり、（Ｂ）はそのＹ−Ｙ断面図である。
【図１８】図１７へ示す蝶番１の背面図である。
【図１９】（Ａ）は図１７へ示す蝶番１の右側面図であり、（Ｂ）は横板１２，２２を開いた状態の、当該蝶番１の右側面図である。
【図２０】図１７〜１９に示す蝶番１を取り付けた状態を示す折り畳み扉の背面図である。
【図２１】図１７〜１９に示す蝶番１を取り付けた状態を示す折り畳み扉の一部切欠平面図である。
【図２２】（Ａ）は従来の折り畳み扉の要部斜視図であり、（Ｂ）は他の従来の折り畳み扉の要部平面図である。
【符号の説明】
【００４１】
１    蝶番
３    軸
１０    第１取付部
１１    第１縦板
１２    第１横板
２０    第２取付部
２１    第２縦板
２２    第２横板
１００  （左側）扉構成板  
２００  （右側）扉構成板
【図１】
2004263541.tif 000003
【図２】
2004263541.tif 000004
【図３】
2004263541.tif 000005
【図４】
2004263541.tif 000006
【図５】
2004263541.tif 000007
【図６】
2004263541.tif 000008
【図７】
2004263541.tif 000009
【図８】
2004263541.tif 000010
【図９】
2004263541.tif 000011
【図１０】
2004263541.tif 000012
【図１１】
2004263541.tif 000013
【図１２】
2004263541.tif 000014
【図１３】
2004263541.tif 000015
【図１４】
2004263541.tif 000016
【図１５】
2004263541.tif 000017
【図１６】
2004263541.tif 000018
【図１７】
2004263541.tif 000019
【図１８】
2004263541.tif 000020
【図１９】
2004263541.tif 000021
【図２０】
2004263541.tif 000022
【図２１】
2004263541.tif 000023
【図２２】
2004263541.tif 000024